(57)【特許請求の範囲】
【請求項１】
容器本体（１）が，それぞれ一枚の所定の厚み：ｄの木製薄板から切り抜いた，左右の側壁組立（２，３），そして底部組立（４）からなる３枚の組立部材から，折り曲げ手段と係止手段とから成る組立手段のみを用いて，組み立てる組立構造を有する該容器本体であって，該容器本体は，上方向に略矩形状の開口縁部を有し，下方向に漏斗形状に縮小した略矩形状の底縁部を持ち，該開口縁部は，該側壁組立の側壁横部における左右一対の開口横縁部（２ａ，３ａ）と，左右の該側壁組立からそれぞれの罫線折溝（２ｅ，３ｅ）を介して折り曲げ手段を用いて確保し，そして上下の組立スリット（２ｆ，３ｆ）でそれぞれ交差係止形成する側壁縦部における，一対の開口縦縁部（２ｃ，３ｃ）とからなり，また該底縁部は，該側壁横部における左右一対の底部横縁部（２ｂ，３ｂ）と，該側壁縦部における一対の底部縦縁部（２ｄ）とからなり，そして該底部組立の底部本体（４ａ）は，該底縁部近傍に嵩上げした位置に設け，また該底部本体の長手方向に縦側壁罫線折溝（４ｃ）を介して連なる，一対の略三角形状の縦側壁嵌合部（４ｂ）を設け，そして該側壁縦部内側に形成する嵌合傾斜部（３ｈ）と，その裏面の開口縦縁部（３ｃ）とから形成する嵌合段差部に，該縦側壁嵌合部が，折り曲げ手段を用いて嵌合押圧して固定する事を特徴とする薄板組立式容器。
【請求項２】
底部組立（４′）が，更に該底部本体の短手方向に横側壁罫線折溝（４ｅ′）を介して連なる，一対の略台形状の横側壁押壁部（４ｄ′）を設け，そして左右一対の該横側壁押壁部が，対応する該側壁組立の側壁横部内側を，折り曲げ手段を用いて押圧して隙間なく保持する事を特徴とする請求項１記載の薄板組立式容器。
【発明の詳細な説明】
【０００１】
【発明の属する技術分野】
本発明は，加熱・加湿調理用の容器兼用可能な，木製薄板から切り抜いた３枚の組立部材から，組み立てる薄板組立式容器に関する。
【０００２】
【従来の技術】
従来技術の木製包装容器は，上部が開口した所望する高さの容器体の場合，例えば，実用新案登録第３０７７４１９号「加熱・加湿調理用の容器兼用の木製包装容器」があり，一枚の型抜き木製薄板材から，所定の箇所に罫線（Ｘ）を設け，該罫線に沿って折り曲げ，所定の連結片同士を係止して，所望する高さの該容器体を確保していた。
【０００３】
【発明が解決しようとする課題】
従来技術の木製包装容器において，例えば，実用新案登録第３０７７４１９号「加熱・加湿調理用の容器兼用の木製包装容器」の場合は，一枚の型抜き木製薄板材から，所定の箇所に罫線を設け，該罫線に沿って折り曲げ，所定の連結片同士を係止しているので，該罫線の箇所が多く，該罫線で折り曲げ手段を実行すると，その折り曲げ箇所で破損等が煩雑に発生し，折り曲げ組立効率が低下すると共に，更に隙間が空き，またラップ掛けとか包装で強度がだせない問題点があった。
【０００４】
【課題を解決するための手段】
上記の問題点を解決するために，本発明の薄板組立式容器は，容器本体が，それぞれ一枚の木製薄板から切り抜いた３枚の組立部材から，特に接着剤等の貼着手段を用いずに，組立手段のみを用いて，組み立てる組立構造を有する該容器本体である事を特徴とする。
【０００５】
【発明の実施の形態】
本発明の請求項１に対応する薄板組立式容器は，容器本体が，それぞれ一枚の所定の厚み：ｄの木製薄板から切り抜いた，左右の側壁組立，そして底部組立からなる３枚の組立部材から，接着剤等の貼着手段を用いずに，折り曲げ手段と係止手段とから成る組立手段のみを用いて，組み立てる組立構造を有する該容器本体であって，該容器本体は，上方向に略矩形状の開口縁部を有し，下方向に漏斗形状に縮小した略矩形状の底縁部を持ち，該開口縁部は，該側壁組立の側壁横部における左右一対の開口横縁部と，左右の該側壁組立からそれぞれの罫線折溝を介して折り曲げ手段を用いて確保し，そして上下の組立スリットでそれぞれ交差係止形成する側壁縦部における，一対の開口縦縁部とからなり，また該底縁部は，該側壁横部における左右一対の底部横縁部と，該側壁縦部における一対の底部縦縁部とからなり，そして該底部組立の底部本体は，該底縁部よりも若干嵩上げした位置に設け，また該底部本体の長手方向に縦側壁罫線折溝を介して連なる，一対の略三角形状の縦側壁嵌合部を設け，そして該側壁縦部内側に形成する嵌合傾斜部と，その裏面の開口縦縁部とから形成する嵌合段差部に，該縦側壁嵌合部が，折り曲げ手段を用いて嵌合押圧して固定する事を特徴とする。
【０００６】
本発明の請求項２に対応する薄板組立式容器は，容器本体の左右の側壁組立は，請求項１に対応する薄板組立式容器と同じであるが，しかし底部組立が，底部本体の長手方向に縦側壁罫線折溝を介して連なる，一対の略三角形状の縦側壁嵌合部を設けると共に，更に該底部本体の短手方向に横側壁罫線折溝を介して連なる，一対の略台形状の横側壁押壁部を設け，そして側壁縦部内側に形成する嵌合傾斜部と，その裏面の開口縦縁部とから形成する嵌合段差部に，該縦側壁嵌合部が，折り曲げ手段を用いて嵌合押圧して固定すると共に，さらに左右一対の該横側壁押壁部が，対応する該側壁組立の側壁横部内側を，折り曲げ手段を用いて押圧して隙間なく保持する事を特徴とする。
【０００７】
本発明の薄板組立式容器の左右の側壁組立は，それぞれ一枚の拡げた元の切り抜き薄板で確保でき，ここで左の側壁組立は，開口横縁部と底部横縁部とを，一対の罫線折溝で囲む台形形状の側壁横部を形成し，そしてそれぞれの該罫線折溝を介して，開口縦縁部と底部縦縁部とで囲む台形形状の側壁縦部を形成し，さらに該開口縦縁部中央部から底部縦縁部の方向へ，所定の長さの組立スリットを設け，該開口横縁部と罫線折溝とのなす角度を，α１＜９０度とし，また該開口縦縁部と罫線折溝とのなす角度を，α２＜９０度とし，さらに該開口横縁部と開口縦縁部とのなす角度をβとすると，α１＋α２＋β＝１８０度が成立し，一方，右の側壁組立は，開口横縁部と底部横縁部とを，一対の罫線折溝で囲む台形形状の側壁横部を形成し，そしてそれぞれの該罫線折溝を介して，開口縦縁部と，該底部横縁部を延長した傾斜部と，さらに所定の長さの組立スリットを介して，段差延長した嵌合傾斜部とで囲む側壁縦部を形成し，該開口横縁部と罫線折溝とのなす角度を，α１＜９０度とし，また該開口縦縁部と罫線折溝とのなす角度を，α２＜９０度とし，さらに該開口横縁部と開口縦縁部とのなす角度をβとすると，同様にα１＋α２＋β＝１８０度が成立する事を特徴とする。
【０００８】
本発明の薄板組立式容器において，折り曲げ手段とは，特開２００３─１６０１２６「木製薄板折組立容器」記載の，折り曲げ手段を用いることもでき，つまり該折り曲げ手段とは，所定の厚み：ｄの木製薄板を用い，木目方向と平行な，罫線折溝の深さ：ｄ１の比率：ｒ１＝ｄ１／ｄ＝約０．２，該木目方向と直角に横切る，罫線折溝の深さ：ｄ２の比率：ｒ２＝ｄ２／ｄ＝約０．５，そして該木目方向を斜めに横切る，罫線折溝の深さ：ｄ３の比率：ｒ２＝ｄ２／ｄ＝約０．３を採用した。また，所定の厚み：ｄ＜１ｍｍの場合は，罫線折溝を内側にして折り曲げる，内曲げ方式を採用し，そしてｄ≧１ｍｍの場合は，罫線折溝を外側にして折り曲げる，外曲げ方式を採用する事を推奨する。
【０００９】
本発明の薄板組立式容器において，左右の側壁組立の組立手段を用いた組立方法は，左の側壁組立の場合，罫線折溝で，所定の折り曲げ手段を用いて，側壁横部に対して，上下対称に側壁縦部を直角に折り曲げて確保し，一方，右の側壁組立の場合，罫線折溝で，所定の折り曲げ手段を用いて，側壁横部に対して，上下対称に側壁縦部を直角に折り曲げて確保し，次に，該左の側壁組立の組立スリットに，該右の側壁組立の組立スリットを交差係止する係止手段を用い，それぞれ上下一対の側壁縦部を交差係止形成する事を特徴とする。
【００１０】
本発明の薄板組立式容器は，容器本体が，それぞれ一枚の木製薄板から切り抜いた３枚の組立部材から，特に接着剤等の貼着手段を用いずに，組立手段のみを用いているので，オーブン加熱等で加熱・加湿しても，接着剤等に起因する，食材としての有害物質の発散作用がない事を特徴とする。
【００１１】
本発明の薄板組立式容器は，容器本体が，それぞれ一枚の木製薄板から切り抜いた３枚の組立部材から，組立手段のみを用いているので，罫線折溝の箇所が減少し，折り曲げ破損数が少なく，折り曲げ組立効率が増加すると共に，容器として隙間なく組み立てることができ，強度も十分確保する事が出来る。
【００１２】
本発明の薄板組立式容器は，木目を有する木製薄板材から，組立形成するので，外観装飾機能を有し，板紙に比べて，水分吸収に対して強度持つので，店頭陳列用の容器体として用いられるだけでなく，リサイクル作用をも有し，環境に優しい廃棄も容易である作用をも有する。
【００１３】
【実施例】
この発明の実施例の図面において，図１は，本発明の請求項１に対応する実施例１を示す薄板組立式容器の，（Ａ）は側面図，そして（Ｂ）はａ矢視概観斜視図である。図２は，本発明の実施例を示す薄板組立式容器の，（Ａ）は側壁組立（２）の組み立て前の，一枚の拡げた元の切り抜き薄板平面図，そして（Ｂ）は側壁組立（３）の組み立て前の，一枚の拡げた元の切り抜き薄板平面図である。図３は，本発明の薄板組立式容器の，（Ａ）は請求項１に対応する実施例１を示す，底部組立（４）の組み立て前の，一枚の拡げた元の切り抜き薄板平面図，そして（Ｂ）は請求項２に対応する実施例２を示す，底部組立（４′）の組み立て前の，一枚の拡げた元の切り抜き薄板平面図である。図４は，本発明の請求項２に対応する実施例２を示す薄板組立式容器の，（Ａ）は側面図，そして（Ｂ）はａ矢視概観斜視図である。
【００１４】
この発明の実施例を以下説明すると，本発明の請求項１に対応する実施例１を示す薄板組立式容器は，図１に示すように，容器本体（１）が，それぞれ一枚の所定の厚み：ｄの木製薄板から切り抜いた，左右の側壁組立（２，３），そして底部組立（４）からなる３枚の組立部材から，接着剤等の貼着手段を用いずに，折り曲げ手段と係止手段とから成る組立手段のみを用いて，組み立てる組立構造を有する該容器本体であって，該容器本体は，上方向に略矩形状の開口縁部を有し，下方向に漏斗形状に縮小した略矩形状の底縁部を持ち，該開口縁部は，該側壁組立の側壁横部における左右一対の開口横縁部（２ａ，３ａ）と，左右の該側壁組立からそれぞれの罫線折溝（２ｅ，３ｅ）を介して折り曲げ手段を用いて確保し，そして上下の組立スリット（２ｆ，３ｆ）でそれぞれ交差係止形成する側壁縦部における，一対の開口縦縁部（２ｃ，３ｃ）とからなり，また該底縁部は，該側壁横部における左右一対の底部横縁部（２ｂ，３ｂ）と，該側壁縦部における一対の底部縦縁部（２ｄ）とからなり，そして該底部組立の底部本体（４ａ）は，該底縁部よりも若干嵩上げした位置に設け，また図３（Ａ）に示すように，該底部本体の長手方向に縦側壁罫線折溝（４ｃ）を介して連なる，一対の略三角形状の縦側壁嵌合部（４ｂ）を設け，そして該側壁縦部内側に形成する嵌合傾斜部（３ｈ）と，その裏面の開口縦縁部（３ｃ）とから形成する嵌合段差部に，該縦側壁嵌合部が，折り曲げ手段を用いて嵌合押圧して固定する事を特徴とする。
【００１５】
本発明の請求項２に対応する実施例２を示す薄板組立式容器は，図４に示すように，容器本体（１）の左右の側壁組立（２，３）は，請求項１に対応する実施例１と同じであるが，しかし底部組立（４′）が，図３（Ｂ）に示すように，底部本体（４ａ′）の長手方向に縦側壁罫線折溝（４ｃ′）を介して連なる，一対の略三角形状の縦側壁嵌合部（４ｂ′）を設けると共に，更に該底部本体の短手方向に横側壁罫線折溝（４ｅ′）を介して連なる，一対の略台形状の横側壁押壁部（４ｄ′）を設け，そして図４に示すように，側壁縦部内側に形成する嵌合傾斜部（３ｈ）と，その裏面の開口縦縁部（３ｃ）とから形成する嵌合段差部に，該縦側壁嵌合部が，折り曲げ手段を用いて嵌合押圧して固定すると共に，さらに左右一対の該横側壁押壁部が，対応する該側壁組立の側壁横部内側を，折り曲げ手段を用いて押圧して隙間なく保持する事を特徴とする。
【００１６】
本発明の実施例を示す薄板組立式容器において，左右の側壁組立（２，３）は，それぞれ図２（Ａ）及び（Ｂ）の一枚の拡げた元の切り抜き薄板平面図で示すことができ，左の側壁組立（２）は，開口横縁部（２ａ）と底部横縁部（２ｂ）とを，一対の罫線折溝（２ｅ）で囲む台形形状の側壁横部を形成し，そしてそれぞれの該罫線折溝を介して，開口縦縁部（２ｃ）と底部縦縁部（２ｄ）とで囲む台形形状の側壁縦部を形成し，さらに該開口縦縁部中央部から底部縦縁部の方向へ，所定の長さの組立スリット（２ｆ）を設け，該開口横縁部と罫線折溝とのなす角度を，α１＜９０度とし，また該開口縦縁部と罫線折溝とのなす角度を，α２＜９０度とし，さらに該開口横縁部と開口縦縁部とのなす角度をβとする。ここで，α１＋α２＋β＝１８０度が成立する。一方，右の側壁組立（３）は，開口横縁部（３ａ）と底部横縁部（３ｂ）とを，一対の罫線折溝（３ｅ）で囲む台形形状の側壁横部を形成し，そしてそれぞれの該罫線折溝を介して，開口縦縁部（３ｃ）と，該底部横縁部を延長した傾斜部（３ｇ）と，さらに所定の長さの組立スリット（３ｆ）を介して，段差延長した嵌合傾斜部（３ｈ）とで囲む側壁縦部を形成し，該開口横縁部と罫線折溝とのなす角度を，α１＜９０度とし，また該開口縦縁部と罫線折溝とのなす角度を，α２＜９０度とし，さらに該開口横縁部と開口縦縁部とのなす角度をβとする。ここで，同様にα１＋α２＋β＝１８０度が成立する。
【００１７】
本発明の実施例を示す薄板組立式容器において，左右の側壁組立（２，３）の組立手段を用いた組立方法は，左の側壁組立（２）の場合，図２（Ａ）に示すように，罫線折溝（２ｅ）で，所定の折り曲げ手段を用いて，側壁横部に対して，上下対称に側壁縦部を直角に，ａ折方向に折り曲げて確保する。一方，右の側壁組立（３）の場合，図２（Ｂ）に示すように，罫線折溝（３ｅ）で，所定の折り曲げ手段を用いて，側壁横部に対して，上下対称に側壁縦部を直角に，ｂ折方向に折り曲げて確保する。次に，該左の側壁組立の組立スリット（２ｆ）に，該右の側壁組立の組立スリット（３ｆ）を交差係止する係止手段を用い，それぞれ上下一対の側壁縦部を交差係止形成する。
【００１８】
本発明の実施例を示す薄板組立式容器において，所定の厚み：ｄの木製薄板は，ｄ＝１ｍｍを用いた。また木目方向は，左右の側壁組立（２，３），そして底部組立（４或いは４′）からなる３枚の組立部材が形成する，容器本体（１）の平面図における略矩形状の長手方向とした。
【００１９】
本発明の実施例を示す薄板組立式容器において，α１＝α２＝７６．５度，そしてβ＝２７度を採用し，台形形状の側壁横部を形成する，開口横縁部（２ａ）の長さ：９７ｍｍ，底部横縁部（２ｂ）の長さ：７７ｍｍ，そして該開口横縁部と底部横縁部間の距離＝４１ｍｍとし，また台形形状の側壁縦部を形成する，開口縦縁部（３ｃ）の長さ：４８ｍｍ，底部縦縁部（２ｄ）の長さ：２８ｍｍとし，そして底部本体（４ａ或いは４ａ′）は，底縁部よりも約３ｍｍ嵩上げした位置に設けた。
【００２０】
【発明の効果】
本発明は，以上説明した様な形態で実施され，以下に記載される様な効果を有する。
【００２１】
本発明の薄板組立式容器は，容器本体が，それぞれ一枚の木製薄板から切り抜いた３枚の組立部材から，特に接着剤等の貼着手段を用いずに，組立手段のみを用いているので，オーブン加熱等で加熱・加湿しても，接着剤等に起因する，食材としての有害物質の発散がない効果を有する。
【００２２】
本発明の薄板組立式容器は，容器本体が，それぞれ一枚の木製薄板から切り抜いた３枚の組立部材から，組立手段のみを用いているので，罫線折溝の箇所が減少し，折り曲げ破損数が少なく，折り曲げ組立効率が増加すると共に，容器として隙間なく組み立てることができ，強度も十分確保できる効果を有する。
【００２３】
本発明の薄板組立式容器は，木目を有する木製薄板材から，組立形成するので，外観装飾機能を有し，板紙に比べて，水分吸収に対して強度持つので，店頭陳列用の容器体として用いられるだけでなく，リサイクル効果をも有し，環境に優しい廃棄も容易である効果をも有する。
【００２４】
本発明の薄板組立式容器は，冷凍食品用トレー，製菓製パン用直焼き容器，木材の吸湿性を鮮度保持にもちいる野菜果物用トレー，木材の通気性・吸湿性による”おひつ効果”を用いるお弁当容器，そして電子レンジ加熱容器等に利用できる効果を有する。
【図面の簡単な説明】
【図１】本発明の請求項１に対応する実施例１を示す薄板組立式容器の，（Ａ）は側面図，そして（Ｂ）はａ矢視概観斜視図。
【図２】本発明の実施例を示す薄板組立式容器の，（Ａ）は側壁組立（２）の組み立て前の，一枚の拡げた元の切り抜き薄板平面図，そして（Ｂ）は側壁組立（３）の組み立て前の，一枚の拡げた元の切り抜き薄板平面図。
【図３】本発明の薄板組立式容器の，（Ａ）は請求項１に対応する実施例１を示す，底部組立（４）の組み立て前の，一枚の拡げた元の切り抜き薄板平面図，そして（Ｂ）は請求項２に対応する実施例２を示す，底部組立（４′）の組み立て前の，一枚の拡げた元の切り抜き薄板平面図。
【図４】本発明の請求項２に対応する実施例２を示す薄板組立式容器の，（Ａ）は側面図，そして（Ｂ）はａ矢視概観斜視図。
【符号の説明】
１      容器本体
２      側壁組立
２ａ    開口横縁部
２ｂ    底部横縁部
２ｃ    開口縦縁部
２ｄ    底部縦縁部
２ｅ    罫線折溝
２ｆ    組立スリット
３      側壁組立
３ａ    開口横縁部
３ｂ    底部横縁部
３ｃ    開口縦縁部
３ｅ    罫線折溝
３ｆ    組立スリット
３ｇ    傾斜部
３ｈ    嵌合傾斜部
４      底部組立
４ａ    底部本体
４ｂ    縦側壁嵌合部
４ｃ    縦側壁罫線折溝
４′    底部組立
４ａ′  底部本体
４ｂ′  縦側壁嵌合部
４ｃ′  縦側壁罫線折溝
４ｄ′  横側壁押壁部
４ｅ′  横側壁罫線折溝
【図１】
0003718778.tif 000002
【図２】
0003718778.tif 000003
【図３】
0003718778.tif 000004
【図４】
0003718778.tif 000005